(57)【特許請求の範囲】
【請求項１】
表示部と、
互いに異なる方向を指定する複数の方向指定手段を有する操作部と、
前記操作部により所定の操作がされた場合に、入力中の文字として文字及び数字の同時表示を前記表示部に行わせると共に、前記表示部に前記文字及び前記数字の同時表示が行われた状態で、前記方向指定手段によりいずれかの方向がさらに指定された場合に、前記表示部に同時表示された前記文字及び前記数字の少なくとも一方の記号を、さらに指定された操作に基づいて他の記号に変更して前記表示部に表示させる制御部と、を備え、
前記方向指定手段は、第１方向と、前記第１方向とは反対方向になる第２方向と、前記第１方向に対して交差する方向になる第３方向と、前記第３方向とは反対方向になる第４方向とをそれぞれ指定可能であり、
前記制御部は、
前記表示部に入力中の文字として前記文字及び前記数字が同時表示された状態で、前記第１方向又は前記第２方向が指定された場合に、前記表示部に同時表示された前記文字及び前記数字のうち前記文字を指定された操作に基づいて他の文字に変更し且つ前記数字を当該指定された操作に基づいて他の数字に変更して前記表示部に表示させ、
前記表示部に入力中の文字として前記文字及び前記数字が同時表示された状態で、前記第３方向又は前記第４方向が指定された場合に、前記表示部に同時表示された前記文字及び前記数字の記号うち前記一方の記号を指定された操作に基づいて他の記号に変更して前記表示部に表示し、且つ前記表示部に同時表示された前記文字及び前記数字の記号うち他方の記号を他の記号に変更せずに前記表示部への表示を維持する
電子機器。
【請求項２】
前記制御部は、前記表示部に初期画面が表示された状態で、前記方向指定手段のうち所定の方向が指定された場合に、当該操作に基づいて文字及び数字を入力中の文字として前記表示部に同時表示させる請求項１に記載の電子機器。
【請求項３】
前記制御部は、前記表示部に初期画面が表示された状態で、前記方向指定手段のうち所定の方向が指定された場合に、当該操作に基づいて文字及び数字の同時表示と、前記文字を他の文字に変更するために用いられる複数の文字から構成される文字パレットの表示とを前記表示部に行わせる請求項２に記載の電子機器。
【請求項４】
前記制御部は、
前記表示部に入力中の文字として前記文字及び前記数字の同時表示を行う場合に、前記文字が入力される文字入力領域と、前記数字が入力される数字入力領域とを前記表示部に表示させ、
前記表示部に同時表示された状態で前記第３方向又は前記第４方向が指定された場合に、前記文字が入力される前記文字入力領域の表示を維持すると共に、前記数字が入力される前記数字入力領域の表示を解除する請求項１乃至３のいずれか１項に記載の電子機器。
【請求項５】
前記方向指定手段には、それぞれ所定の機能が割り当てられ、
前記制御部は、
前記方向指定手段のうち所定の方向が指定された場合に、当該操作された方向指定手段に割り当てられる所定の機能に基づく表示、及び当該操作された方向指定手段に対応付けられる文字及び数字の少なくとも一方の入力表示を前記表示部に行わせると共に、前記表示部に、前記所定の機能に基づく表示と、前記文字又は前記数字の入力表示とが行われた状態で、前記方向指定手段のうち所定の方向がさらに指定されると、前記表示部に入力表示される前記文字及び前記数字の少なくとも一方の記号を他の記号に変更して前記表示部に表示させる、又は、前記所定の機能に基づく表示項目の選択を行い、選択された表示項目を前記表示部に表示させる請求項２乃至４のいずれか１項に記載の電子機器。
【請求項６】
前記方向指定手段には、それぞれ文字、数字及び所定の機能が対応付けられ、
前記制御部は、前記表示部に初期画面が表示されている状態で、前記方向指定手段のうち所定の方向が指定された場合に、当該操作された方向指定手段に対応付けられる文字、数字及び所定の機能に基づく表示を前記表示部に行わせる請求項５に記載の電子機器。
【請求項７】
互いに異なる方向を指定する複数の方向指定手段を有する電子機器の表示方法であって、
前記方向指定手段のうち所定の方向が指定された場合に、入力中の文字として文字及び数字の同時表示を表示部に行わせると共に、前記表示部に前記文字及び前記数字の同時表示が行われた状態で、前記方向指定手段によりいずれかの方向がさらに指定された場合に、前記表示部に同時表示される前記文字及び前記数字の少なくとも一方の記号を、さらに指定された操作に基づいて他の記号に変更して前記表示部に表示させ、
前記方向指定手段は、第１方向と、前記第１方向とは反対方向になる第２方向と、前記第１方向に対して交差する方向になる第３方向と、前記第３方向とは反対方向になる第４方向とをそれぞれ指定可能であり、
前記表示部に入力中の文字として前記文字及び前記数字が同時表示された状態で、前記第１方向又は前記第２方向が指定された場合に、前記表示部に同時表示された前記文字及び前記数字のうち前記文字を指定された操作に基づいて他の文字に変更し且つ前記数字を当該指定された操作に基づいて他の数字に変更して前記表示部に表示させ、
前記表示部に入力中の文字として前記文字及び前記数字が同時表示された状態で、前記第３方向又は前記第４方向が指定された場合に、前記表示部に同時表示された前記文字及び前記数字の記号うち前記一方の記号を指定された操作に基づいて他の記号に変更して前記表示部に表示し、且つ前記表示部に同時表示された前記文字及び前記数字の記号うち他方の記号を他の記号に変更せずに前記表示部への表示を維持する
電子機器の表示方法。
【発明の詳細な説明】
【技術分野】
【０００１】
本発明は、文字及び数字の少なくとも一方を入力可能な電子機器及びその表示方法に関する。
【背景技術】
【０００２】
携帯電話機等の電子機器には、文字や数字の入力を行うための入力キーを有する操作部と、入力キーが操作されることにより入力された文字や数字を表示するための表示部とを備えるものがある。このような電子機器では、表示部に初期画面（入力キー等の操作を待ち受けている状態であって、他のアプリケーションが起動していないときに表示される画面）が表示されている状態において入力キーが操作された場合に、操作された入力キーに割り当てられる文字の入力及び数字の入力を同時に行うことが可能である（特許文献１参照）。
【先行技術文献】
【特許文献】
【０００３】
【特許文献１】特開２００９−３２２０９号公報
【発明の概要】
【発明が解決しようとする課題】
【０００４】
上述した電子機器は、文字や数字の入力を行うための入力キーが操作されることにより、操作された入力キーに割り当てられる文字及び数字が入力されるものである。このため、上述した電子機器は、文字や数字の入力を行うための入力キー以外のキー（例えば、表示部における方向を指定する方向指定キー）が操作された場合でも、文字及び数字を入力させることができない。
【０００５】
本発明は、方向指定手段の操作に基づいて文字及び数字の少なくとも一方の入力を行うことが可能な電子機器及びその表示方法を提供することを目的とする。
【課題を解決するための手段】
【０００６】
本発明の電子機器は、表示部と、互いに異なる方向を指定する複数の方向指定手段を有する操作部と、前記操作部により所定の操作がされた場合に、文字及び数字の入力表示を前記表示部に行わせると共に、前記表示部に前記文字及び前記数字の入力表示が行われた状態で、前記方向指定手段によりいずれかの方向がさらに指定された場合に、前記表示部に入力表示された前記文字及び前記数字の少なくとも一方をそれぞれ他の文字及び他の数字に変更するための前記他の文字及び前記他の数字の選択を行い、選択された他の文字及び他の数字を前記表示部に表示させる制御部と、を備えることを特徴とする。
【０００７】
また、前記方向指定手段は、第１方向と、前記第１方向とは反対方向になる第２方向と、前記第１方向に対して交差する方向になる第３方向と、前記第３方向とは反対方向になる第４方向とをそれぞれ指定可能であり、前記制御部は、前記表示部に前記文字及び前記数字が入力表示された状態で、前記第１方向又は前記第２方向が指定された場合に、前記表示部に入力表示された前記文字及び前記数字のそれぞれを他の文字及び他の数字に変更するための前記他の文字及び前記他の数字の選択を行い、選択された他の文字及び他の数字を前記表示部に表示させ、前記表示部に前記文字及び前記数字が入力表示された状態で、前記第３方向又は前記第４方向が指定された場合に、前記表示部に入力表示された前記文字を他の文字に変更するための前記他の文字の選択を行い、選択された他の文字を前記表示部に表示させると共に、前記表示部に入力表示された前記数字をそのまま維持することが好ましい。
【０００８】
また、前記電子機器は、前記方向指定手段には、それぞれ文字及び数字が対応付けられ、前記制御部は、前記方向指定手段によりいずれかの方向が指定された場合に、当該操作された方向指定手段に対応付けられる文字及び数字の少なくとも一方を前記表示部に表示させることが好ましい。
【０００９】
また、前記制御部は、前記表示部に初期画面が表示された状態で、前記方向指定手段によりいずれかの方向が指定された場合に、当該操作された方向指定手段に対応付けられる文字及び数字と、前記文字を他の文字に変更するために用いられる複数の文字から構成される文字パレットとを前記表示部に表示させることが好ましい。
【００１０】
また、前記制御部は、前記表示部に前記文字及び前記数字の入力表示を行う場合に、前記文字が入力される文字入力領域と、前記数字が入力される数字入力領域とを前記表示部に表示させ、前記第３方向又は前記第４方向が操作された場合に、前記文字が入力される前記文字入力領域の表示を維持すると共に、前記数字が入力される前記数字入力領域の表示を解除することが好ましい。
【００１１】
また、前記方向指定手段には、それぞれ所定の機能が割り当てられ、前記制御部は、前記方向指定手段によりいずれかの方向が指定された場合に、当該操作された方向指定手段に割り当てられる所定の機能に基づく表示、及び当該操作された方向指定手段に対応付けられる文字及び数字の少なくとも一方の入力表示を前記表示部に行わせると共に、前記表示部に、前記所定の機能に基づく表示と、前記文字又は前記数字の入力表示とが行われた状態で、前記方向指定手段によりいずれかの方向がさらに指定されると、前記表示部に入力表示される前記文字及び前記数字の少なくとも一方をそれぞれ他の文字及び他の数字に変更するための前記他の文字及び前記他の数字の選択を行い、選択された他の文字及び他の数字を前記表示部に表示させる、又は、前記所定の機能に基づく表示項目の選択を行い、選択された表示項目を前記表示部に表示させることが好ましい。
【００１２】
また、前記方向指定手段には、それぞれ文字、数字及び所定の機能が対応付けられ、前記制御部は、前記表示部に初期画面が表示されている状態で、前記方向指定手段によりいずれかの方向が指定された場合に、当該操作された方向指定手段に対応付けられる文字、数字及び所定の機能に基づく表示を前記表示部に行わせることが好ましい。
【００１３】
また、本発明の電子機器の表示方法は、互いに異なる方向を指定する複数の方向指定手段を有する電子機器の表示方法であって、前記方向指定手段によりいずれかの方向が指定された場合に、文字及び数字の入力表示を表示部に行わせると共に、前記表示部に前記文字及び前記数字の入力表示が行われた状態で、前記方向指定手段によりいずれかの方向がさらに指定された場合に、前記表示部に入力表示される前記文字及び前記数字の少なくとも一方をそれぞれ他の文字及び他の数字に変更するための前記他の文字及び前記他の数字の選択を行い、選択された他の文字及び他の数字を前記表示部に表示させることを特徴とする。
【発明の効果】
【００１４】
本発明によれば、方向指定手段の操作に基づいて文字及び数字の少なくとも一方の入力を行うことができる。
【図面の簡単な説明】
【００１５】
【図１】電子機器の一実施形態に係る携帯電話機の外観斜視図である。
【図２】携帯電話機の機能を示す機能ブロック図である。
【図３】文字パレット及び数字パレットについて説明するための第１の図である。
【図４】文字パレット及び数字パレットについて説明するための第２の図である。
【図５】携帯電話機の第１の動作について説明するためのフローチャートである。
【図６】携帯電話機の第１の動作の画面遷移について説明するための図である。
【図７】携帯電話機の第２の動作について説明するためのフローチャートである。
【図８】携帯電話機の第３の動作について説明するためのフローチャートである。
【図９】携帯電話機の第４の動作の画面遷移について説明するための第１の図である。
【図１０】携帯電話機の第４の動作の画面遷移について説明するための第２の図である。
【図１１】携帯電話機の第５の動作について説明するためのフローチャートである。
【図１２】携帯電話機の第５の動作の画面遷移について説明するための図である。
【発明を実施するための形態】
【００１６】
以下、本発明を実施するための好ましい実施形態について、図面を参照しながら説明する。まず、本発明の電子機器の一実施形態に係る携帯電話機１の基本構造について、図１を参照しながら説明する。図１は、電子機器の一実施形態に係る携帯電話機１の外観斜視図である。
【００１７】
携帯電話機１は、ストレートタイプの携帯電話機１である。この携帯電話機１の外形は、筐体２と、この筐体２に挿脱可能に取り付けられた挿脱部材３と、この挿脱部材３に連結されたストラップ４と、を主体として構成されている。携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。
【００１８】
筐体２の前面２ａには、操作部１１と、表示部２１と、マイク１２と、スピーカ２２とが配置されている。操作部１１は、互いに異なる方向を指定する複数の方向指定キー１１ａ（方向指定手段）と、所定の機能を作動させるための機能作動キー１１ｂとを備える。ここで、複数の方向指定キー１１ａは、図１に示すように物理的に１つのキーの場合でも、上方向、右方向、下方向及び左方向にそれぞれ異なる機能が割り当てられていれば、複数の方向指定キーとする。つまり、複数の方向に指定可能なものであればよく、ジョイスティックやトラックボール、その他ポインティングデバイスであってもよい。また、複数の方向へは、静電容量センサや赤外線センサにより指定可能としてもよい。表示部２１は、液晶表示ディスプレイや有機ＥＬ（エレクトロルミネッセンス）ディスプレイ等から構成される。マイク１２は、携帯電話機１の使用者が通話時に発した音声を入力する。スピーカ２２は、携帯電話機１の使用時に通話の相手方の音声が出力する。
【００１９】
なお、携帯電話機は、上述したストレートタイプの携帯電話機１に限定されることはない。すなわち、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とをヒンジ機構で結合させた折り畳み式であってもよい。
【００２０】
次に、携帯電話機１の機能構成について説明する。図２は、携帯電話機１の機能を示す機能ブロック図である。携帯電話機１は、操作部１１と、マイク１２と、メインアンテナ４０と、ＲＦ回路部４１と、画像処理部４２と、音声処理部４３と、メモリ４４と、制御部４５と、表示部２１と、スピーカ２２と、ドライバＩＣ２３とを備える。なお、操作部１１と、表示部２１と、マイク１２と、スピーカ２２の構成は、前述の通りである。
【００２１】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２２】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２３】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２４】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２５】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２７】
制御部４５は、携帯電話機１の全体を制御しており、中央処理装置（ＣＰＵ）等を用いて構成される。
【００２８】
このように構成される携帯電話機１は、方向指定キー１１ａの操作に基づいて文字及び数字の入力を同時に行うことが可能な機能を有する。
以下に、携帯電話機１に係る上記機能を発揮するための構成と動作について詳述する。
制御部４５は、操作部１１により所定の操作がされた場合に、文字及び数字の入力表示を表示部２１に行わせる。また、制御部４５は、表示部２１に文字及び数字の入力表示が行われた状態で、方向指定キー１１ａのうちいずれかのキーがさらに操作された場合（方向指定キー１１ａによりいずれかの方向が指定された場合）に、表示部２１に入力表示された文字及び数字の少なくとも一方をそれぞれ他の文字及び他の数字に変更するための他の文字及び他の数字の選択を行い、選択された他の文字及び他の数字を表示部２１に表示させる。ここで、操作部１１による所定の操作とは、文字、数字のエディタ画面を起動させるためのキーの操作でもよいし、後述の通り、方向指定キー１１ａのいずれかのキーの操作でもよい。
【００２９】
具体的には、制御部４５は、方向指定キー１１ａのいずれかのキーが操作された場合、例えば、文字「あ」及び数字「０」を表示部２１に入力表示させる。なお、キーが操作された場合に入力表示される文字及び数字は、任意の文字及び数字、又は予め設定された文字及び数字である。また、制御部４５は、文字「あ」及び数字「０」が表示部２１に入力表示された状態において、さらに、方向指定キー１１ａのいずれかのキーが操作された場合には、文字「あ」及び数字「０」の少なくとも一方をそれぞれ他の文字（例えば、「い」）及び他の数字（例えば、「１」）に変更するための選択が行われたとして、選択された他の文字「い」及び他の数字「１」を表示部２１に表示させる。
【００３０】
これにより、携帯電話機１は、方向指定キー１１ａのうちいずれかのキーが操作された場合に、文字及び数字の入力表示を表示部２１に行わせ、さらに、方向指定キー１１ａのうちいずれかのキーが操作された場合に、表示部２１に入力表示された文字及び数字の少なくとも一方をそれぞれ他の文字及び他の数字に変更して、他の文字及び他の数字を表示部２１に表示させるので、方向指定キー１１ａの操作に基づいて文字及び数字の少なくとも一方の入力を行うことができる。
【００３１】
また、方向指定キー１１ａは、第１方向を指定可能な第１キーと、第１方向とは反対方向になる第２方向を指定可能な第２キーと、第１方向に対して交差する方向になる第３方向を指定可能な第３キーと、第３方向とは反対方向になる第４方向とを指定可能な第４キーとを含む。本実施形態の場合、第１キーは、上キー１１１であり、第２キーは、下キー１１２である（図１参照）。また、本実施形態の場合、第３キーは、右キー１１３であり、第４キーは、左キー１１４である（図１参照）。
【００３２】
この場合、制御部４５は、表示部２１に文字及び数字が入力表示された状態で、上キー１１１又は下キー１１２が操作された場合に、表示部２１に入力表示された文字及び数字のそれぞれを他の文字及び他の数字に変更するための他の文字及び他の数字の選択を行い、選択された他の文字及び他の数字を表示部２１に表示させる。具体的には、方向指定キー１１ａのいずれかのキーが操作されることにより、例えば、文字「あ」及び数字「０」が表示部２１に入力表示されている状態において、さらに、上キー１１１又は下キー１１２が操作された場合に、制御部４５は、文字「あ」及び数字「０」をそれぞれ他の文字（例えば、「い」）及び他の数字（例えば、「１」）に変更するための選択が行われたとして、選択された他の文字「い」及び他の数字「１」を表示部２１に表示させる。
【００３３】
一方、制御部４５は、表示部２１に文字及び数字が入力表示された状態で、右キー１１３又は左キー１１４が操作された場合に、表示部２１に入力表示された文字を他の文字に変更するための他の文字の選択を行い、選択された他の文字を表示部２１に表示させると共に、表示部２１に入力表示された数字をそのまま維持する。具体的には、方向指定キー１１ａのいずれかのキーが操作されることにより、例えば、文字「あ」及び数字「０」が表示部２１に入力表示されている状態において、さらに、右キー１１３又は左キー１１４が操作された場合に、制御部４５は、文字「あ」を他の文字（例えば、「か」）に変更するための選択が行われたとして、選択された他の文字「か」を表示部２１に表示させる。また、制御部４５は、表示部２１に入力表示される数字「０」を他の数字に変更せず、数字「０」を表示部２１にそのまま入力表示させておく。
【００３４】
これにより、携帯電話機１は、表示部２１に文字及び数字が入力表示された状態で、上キー１１１又は下キー１１２が操作された場合に、表示部２１に入力表示された文字及び数字のそれぞれを他の文字及び他の数字に変更する一方、右キー１１３又は左キー１１４が操作された場合に、表示部２１に入力表示された文字のみを他の文字に変更するので、方向指定キー１１ａの操作に基づいて文字及び数字の少なくとも一方の入力を行うことができる。
【００３５】
また、方向指定キー１１ａには、それぞれ文字及び数字が対応付けられていてもよい。具体的には、方向指定キー１１ａを構成するいずれのキーが操作された場合にも、例えば、文字「あ」及び数字「０」を表示部２１に入力表示させることができるように、方向指定キー１１ａには、文字及び数字が対応付けられている。また、方向指定キー１１ａを構成する複数のキーには、それぞれ異なる文字及び数字が割り当てられていてもよい。この場合、例えば、上キー１１１には、文字「あ」及び数字「０」がそれぞれ割り当てられ、右キー１１３には、文字「い」及び数字「１」がそれぞれ割り当てられてもよい。さらに、下キー１１２には、例えば、文字「う」及び数字「２」がそれぞれ割り当てられ、左キー１１４には、例えば、文字「え」及び数字「３」が割り当てられてもよい。
【００３６】
なお、方向指定キー１１ａに対応付けられる文字及び数字は、上記の一例に限定されることはない。また、方向指定キー１１ａ（上キー１１１、下キー１１２、右キー１１３又は左キー１１４）に割り当てられる文字及び数字は、初期設定された文字及び数字であってもよく、ユーザにより設定された文字及び数字であってもよい。
【００３７】
制御部４５は、方向指定キー１１ａのうちいずれかのキーが操作された場合に、操作されたキーに対応付けられる文字及び数字の少なくとも一方を表示部２１に表示させる。例えば、方向指定キー１１ａを構成するいずれのキーにも文字「あ」及び数字「０」が対応付けられている場合において、方向指定キー１１ａのうちいずれかのキーが操作されたときには、制御部４５は、文字「あ」及び数字「０」の少なくとも一方を表示部２１に入力表示させる。また、上キー１１１に文字「あ」及び数字「０」がそれぞれ割り当てられている場合において、上キー１１１が操作されたときには、制御部４５は、文字「あ」及び数字「０」の少なくとも一方を表示部２１に入力表示させる。
【００３８】
ここで、文字及び数字を表示部２１に入力表示させるために、方向指定キー１１ａのうちいずれかのキーが操作されるときには、表示部２１には、初期画面（通信や入力キーの操作等を待ち受けている状態であって、他のアプリケーションが起動していないときに表示される画面）、並びに、文字及び数字を入力させるための画面（エディタ画面）のうちいずれかの画面が表示されている。
【００３９】
これにより、携帯電話機１は、方向指定キー１１ａのうちいずれかのキーが操作された場合に、操作されたキーに対応付けられる文字及び数字の少なくとも一方を表示部２１に表示させるので、方向指定キー１１ａの操作に基づいて文字及び数字の少なくとも一方の入力を行うことができる。
【００４０】
次に、図３は、文字パレット２１ｃ及び数字パレット２１ｄについて説明するための第１の図である。図４は、文字パレット２１ｃ及び数字パレット２１ｄについて説明するための第２の図である。
制御部４５は、表示部２１に初期画面が表示された状態で、方向指定キー１１ａのうちいずれかのキーが操作された場合に、操作されたキーに対応付けられる文字及び数字と、文字を他の文字に変更するために用いられる複数の文字から構成される文字パレット２１ｃとを表示部２１に表示させることが好ましい。文字パレット２１ｃは、例えば、平仮名の五十音を順に並べたものであればよい（図３、図４参照）。
【００４１】
制御部４５は、方向指定キー１１ａのいずれかのキーが操作された場合に、操作されたキーに対応付けられた文字及び数字と、文字パレット２１ｃとを表示部２１に表示させる。このとき、文字パレット２１ｃには、文字を選択するためのカーソルが表示される。文字及び数字と、文字パレット２１ｃとが表示部２１に表示された状態で、方向指定キー１１ａがさらに操作された場合、制御部４５は、操作されたキーに対応する方向にカーソルを移動させる。例えば、文字パレット２１ｃの文字「あ」の位置にカーソルが存在している状態において、左キー１１４が操作された場合には、制御部４５は、文字パレット２１ｃ上において文字「あ」の左隣となる文字「か」の位置にカーソルを移動させる。さらに、制御部４５は、カーソルの移動に基づいて、表示部２１に入力表示される文字「あ」を文字「か」に変更する。
【００４２】
これにより、携帯電話機１は、方向指定キー１１ａのうちいずれかのキーが操作された場合に、操作されたキーに対応付けられる文字及び数字と、文字パレット２１ｃとを表示させ、方向指定キー１１ａがさらに操作されることにより文字パレット２１ｃ上のカーソルを移動させて他の文字を選択させるので、方向指定キー１１ａの操作に基づいて文字の入力を行うことができる。また、携帯電話機１は、文字パレット２１ｃを用いて文字を入力可能としたので、文字入力が視覚化され、容易に文字入力を行うことができる。
【００４３】
なお、制御部４５は、表示部２１に初期画面が表示された状態で、方向指定キー１１ａのうちいずれかのキーが操作された場合に、数字を他の数字に変更するために用いられる複数の数字から構成される数字パレット２１ｄ（図３、図４参照）を表示部２１に表示させてもよい。
【００４４】
また、制御部４５は、表示部２１に文字及び数字の入力表示を行う場合に、文字が入力される文字入力領域２１ａと、数字が入力される数字入力領域２１ｂとを表示部２１に表示させることが好ましい。さらに、制御部４５は、右キー１１３又は左キー１１４が操作された場合に、文字が入力される文字入力領域２１ａの表示を維持すると共に、数字が入力される数字入力領域２１ｂの表示を解除することが好ましい。
【００４５】
制御部４５は、図３、図４に一例を示すように、文字入力領域２１ａを表示部２１の上側に表示させ、数字入力領域２１ｂを表示部２１の下側に表示させる。本実施形態の場合、上述の文字パレット２１ｃは、文字入力領域２１ａに表示される。制御部４５は、右キー１１３又は左キー１１４が操作された場合に、図３、図４に示す数字パレット２１ｄに示されるように数字入力領域２１ｂに表示される数字を他の数字に変更することができず、数字入力領域２１ｂの表示を解除し、文字入力領域２１ａを表示部２１の全面に表示させる。なお、制御部４５は、表示部２１の全面に文字入力領域２１ａが表示された場合に、文字入力領域２１ａに入力表示された文字を他の文字や単語や記号等に変換するための予測変換候補を数字入力領域２１ｂに表示させてもよい。
【００４６】
これにより、携帯電話機１は、表示部２１に文字及び数字の入力表示を行う場合に、文字入力領域２１ａと数字入力領域２１ｂとを表示部２１に表示させ、さらに右キー１１３又は左キー１１４が操作された場合に、文字入力領域２１ａを表示部２１に表示させる一方、数字入力領域２１ｂの表示を解除するので、表示部２１の視認性を向上させることができる。
【００４７】
また、方向指定キー１１ａには、それぞれ所定の機能が割り当てられることが好ましい。この場合、制御部４５は、方向指定キー１１ａのうちいずれかのキーが操作された場合に、操作されたキーに割り当てられる所定の機能に基づく表示、及び操作されたキーに対応付けられる文字及び数字の少なくとも一方の入力表示を表示部２１に行わせる。さらに、制御部４５は、表示部２１に、所定の機能に基づく表示と、文字又は数字の入力表示とが行われた状態で、方向指定キー１１ａのうちいずれかのキーがさらに操作されると、表示部２１に入力表示される文字及び数字の少なくとも一方をそれぞれ他の文字及び他の数字に変更するための他の文字及び他の数字の選択を行い、選択された他の文字及び他の数字を表示部２１に表示させる、又は、所定の機能に基づく表示項目の選択を行い、選択された表示項目を表示部２１に表示させることが好ましい。
【００４８】
所定の機能とは、例えば、発信履歴機能、着信履歴機能、アドレス帳機能、ニュース表示機能等のことである。制御部４５は、方向指定キー１１ａが操作された場合に、文字入力領域２１ａ及び数字入力領域２１ｂの少なくとも一方の領域と、所定の機能に基づく表示を行う領域（例えば、発信履歴が表示される領域）とを表示部２１に表示させる。表示部２１に複数の領域が表示された状態において、方向指定キー１１ａがさらに操作された場合に、制御部４５は、文字入力領域２１ａに表示される文字を他の文字に変更し、又は数字入力領域２１ｂに表示される数字を他の数字に変更する。又は、所定の機能に基づく表示項目として、例えば、複数の発信履歴が表示部２１に表示されている状態において、方向指定キー１１ａが操作されることに基づいて１つの発信履歴が選択された場合には、制御部４５は、選択された発信履歴を表示部２１に表示させる。
【００４９】
これにより、携帯電話機１は、方向指定キー１１ａが操作されることにより、操作されたキーに割り当てられる数字又は文字を表示部２１に表示させると共に、操作されたキーに割り当てられる所定の機能に基づく表示を表示部２１に行うので、方向指定キー１１ａに割り当てられる機能（文字、数字、所定の機能）の競合を解消することができる。
【００５０】
また、方向指定キー１１ａには、それぞれ文字、数字及び所定の機能が対応付けられていることが好ましい。この場合、制御部４５は、表示部２１に初期画面が表示されている状態で、方向指定キー１１ａのうちいずれかのキーが操作された場合に、操作されたキーに対応付けられる文字、数字及び所定の機能に基づく表示を表示部２１に行わせる。
【００５１】
方向指定キー１１ａのうちいずれかのキーが操作された場合には、制御部４５は、操作されたキーに対応付けられた文字が入力された文字入力領域２１ａと、操作されたキーに対応付けられた数字が入力された数字入力領域２１ｂと、操作されたキーに対応付けられた所定の機能に基づく表示を行う領域とを表示部２１に表示させる。
【００５２】
これにより、携帯電話機１は、方向指定キー１１ａが操作された場合には、文字入力領域２１ａと、数字入力領域２１ｂと、所定の機能に基づく表示を行う領域とを表示部２１に表示させるので、操作されたキーに割り当てられる機能（文字、数字、所定の機能）を同一の画面で確認することができる。
【００５３】
次に、上述した携帯電話機１の第１の動作について説明する。図５は、携帯電話機１の第１の動作について説明するためのフローチャートである。図６は、携帯電話機１の第１の動作の画面遷移について説明するための図である。
【００５４】
図５に示すステップＳ１０１において、初期画面が表示部２１に表示された状態で（図６（Ａ）参照）、方向指定キー１１ａが操作された場合に（図６（Ｂ）に示す場合では下キー１１２）、制御部４５は、方向指定キー１１ａが操作されたことを検知する。
ステップＳ１０２において、制御部４５は、文字及び数字を入力可能なエディタを起動する。
ステップＳ１０３において、制御部４５は、文字入力領域２１ａと数字入力領域２１ｂとを表示部２１に表示させると共に、文字入力領域２１ａに文字パレット２１ｃを表示させる。
【００５５】
ステップＳ１０４において、制御部４５は、ステップＳ１０１により検知されたキー（ここでは、下キー１１２）に対応する文字（初期値：ここでは、文字「あ」）を文字入力領域２１ａに入力して表示させる。この場合、制御部４５は、文字パレット２１ｃの文字「あ」の位置にカーソルを配置する。
【００５６】
ステップＳ１０５において、制御部４５は、ステップＳ１０１により検知されたキー（ここでは、下キー１１２）に対応する数字（初期値：ここでは、数字「０」）を数字入力領域２１ｂに入力して表示させる（図６（Ｃ）参照）。なお、ステップＳ１０３からステップＳ１０５までの処理は同時に行ってもよいし、別々に行ってもよい。
【００５７】
ステップＳ１０６において、制御部４５は、上キー１１１又は下キー１１２の操作を検知したか否かを判断する。すなわち、制御部４５は、ステップＳ１０１において検知されたキーが上キー１１１及び下キー１１２のいずれかであるか否かを判断する。操作されたキーが上キー１１１又は下キー１１２ではない場合（Ｎｏ）には、ステップＳ１０７に進む。操作されたキーが上キー１１１又は下キー１１２である場合（Ｙｅｓ）には、ステップＳ１１３に進む。
【００５８】
ステップＳ１０７において、制御部４５は、右キー１１３又は左キー１１４の操作を検知したか否かを判断する。すなわち、制御部４５は、ステップＳ１０１において検知されたキーが左キー１１４及び右キー１１３のいずれかであるか否かを判断する。操作されたキーが左キー１１４又は右キー１１３である場合（Ｙｅｓ）には、ステップＳ１０８に進む。操作されたキーが左キー１１４又は右キー１１３ではない場合（Ｎｏ）には、ステップＳ１１６に進む。
【００５９】
ステップＳ１０８において、制御部４５は、表示文字の変更を行う。すなわち、制御部４５は、文字入力領域２１ａに表示される文字を他の文字に変更する。
ステップＳ１０９において、制御部４５は、文字パレット２１ｃ上のカーソルの位置を更新する。制御部４５は、文字パレット２１ｃ上のカーソルの位置を左方向又は右方向（図６に示す場合では、左方向）に移動させる（図６（Ｄ）参照）。なお、ステップＳ１０８及びステップＳ１０９の処理は、同時に行ってもよいし、別々に行ってもよい。
【００６０】
ステップＳ１１０において、制御部４５は、ステップＳ１０１において検知されたキーが左キー１１４であるか否かを判断する。左キー１１４ではない場合（Ｎｏ）には、ステップＳ１１１に進む。左キー１１４の場合（Ｙｅｓ）には、ステップＳ１１２に進む。
【００６１】
数字入力領域２１ｂに図３に示すような数字パレット２１ｄが表示されている場合には、ステップＳ１１１において、制御部４５は、数字入力領域２１ｂに入力されている数字を確定して、数字パレット２１ｄ上のカーソルの位置を右側に移動させる。
数字入力領域２１ｂに図３に示すような数字パレット２１ｄが表示されている場合には、ステップＳ１１２において、制御部４５は、数字を他の数字変更する処理、及び数字入力領域２１ｂに入力される数字を確定する処理を行わない（ＮＯＰ）。
【００６２】
ステップＳ１１３において、制御部４５は、表示文字の更新を行う。すなわち、制御部４５は、文字入力領域２１ａに表示される文字を他の文字に変更する。例えば、文字パレット２１ｃ上の「か」の位置にカーソルが表示されている状態において、下キー１１２が４回操作された場合には、制御部４５は、文字入力領域２１ａに入力される文字を「か」から「こ」に変更する。
ステップＳ１１４において、制御部４５は、文字パレット２１ｃ上のカーソルの位置を上方向又は下方向（ここでは、下方向）に移動させる（図６（Ｅ）参照）。
【００６３】
ステップＳ１１５において、制御部４５は、ステップＳ１０６において上キー１１１の操作を検知した場合には、数字のカウントをアップさせ、下キー１１２の操作を検知した場合には、数字のカウントをダウンさせる。なお、ステップＳ１１３からステップＳ１１５までの処理は同時に行ってもよいし、別々に行ってもよい。
【００６４】
ステップＳ１１６において、制御部４５は、方向指定キー１１ａを構成する確定キー１１５が操作されたか否かを検出する。確定キー１１５は、例えば、文字や数字の確定処理を行うためのキー（センターキー）である。確定キー１１５が操作されていない場合（Ｎｏ）には、ステップＳ１０６に戻る。確定キー１１５が操作された場合（Ｙｅｓ）には、ステップＳ１１７に進む。
【００６５】
ステップＳ１１７において、制御部４５は、文字カーソルの位置を変更する。すなわち、制御部４５は、文字入力領域２１ａに文字を入力させるための文字カーソルの位置を右側に移動させる。
【００６６】
ステップＳ１１８において、制御部４５は、数字入力領域２１ｂに入力された数字を確定して、数字入力領域２１ｂに数字を入力させるための数字カーソルの位置を更新する。すなわち、制御部４５は、数字入力領域２１ｂに入力され、確定された数字を一字分左に移動させて、新たな数字を入力可能にする（図６（Ｆ）参照）。なお、ステップＳ１１７及びステップＳ１１８の処理は同時に行ってもよいし、別々に行ってもよい。
【００６７】
次に、上述した携帯電話機１の第２の動作について説明する。図７は、携帯電話機１の第２の動作について説明するためのフローチャートである。
ステップＳ２０１において、表示部２１に初期画面が表示されている状態で、方向指定キー１１ａが操作された場合に、制御部４５は、方向指定キー１１ａが操作されたことを検知する。
ステップＳ２０２において、制御部４５は、文字及び数字を入力可能なエディタを起動する。
ステップＳ２０３において、制御部４５は、文字入力領域２１ａと数字入力領域２１ｂとを表示部２１に表示させると共に、文字入力領域２１ａに文字パレット２１ｃを表示させる。
【００６８】
ステップＳ２０４において、制御部４５は、操作されたキー（ステップＳ２０１により検知されたキー）に対応する文字を文字入力領域２１ａに入力して表示させる。この場合、制御部４５は、例えば、文字パレット２１ｃの文字「あ」の位置にカーソルを配置する。
【００６９】
ステップＳ２０５において、操作されたキー（ステップＳ２０１により検知されたキー）に対応する数字の数字入力領域２１ｂに入力して表示させる。なお、ステップＳ２０３からステップＳ２０５までの処理は同時に行ってもよいし、別々に行ってもよい。
【００７０】
ステップＳ２０６において、制御部４５は、上キー１１１又は下キー１１２の操作を検知したか否かを判断する。すなわち、制御部４５は、ステップＳ２０１において検知されたキーが上キー１１１及び下キー１１２のいずれかであるか否かを判断する。操作されたキーが上キー１１１又は下キー１１２ではない場合（Ｎｏ）には、ステップＳ２０７に進む。操作されたキーが上キー１１１又は下キー１１２である場合（Ｙｅｓ）には、ステップＳ２１３に進む。
【００７１】
ステップＳ２０７において、制御部４５は、右キー１１３又は左キー１１４の操作を検知したか否かを判断する。すなわち、制御部４５は、ステップＳ２０１において検知されたキーが左キー１１４及び右キー１１３のいずれかであるか否かを判断する。操作されたキーが左キー１１４又は右キー１１３である場合（Ｙｅｓ）には、ステップＳ２０８に進む。操作されたキーが左キー１１４又は右キー１１３ではない場合（Ｎｏ）には、ステップＳ２１５に進む。
【００７２】
ステップＳ２０８において、制御部４５は、ステップＳ２０１において検知されたキーが右キー１１３であるか否かを判断する。操作されたキーが右キー１１３である場合（Ｙｅｓ）には、ステップＳ２０９に進む。操作されたキーが右キー１１３ではない場合（Ｎｏ）には、ステップＳ２１１に進む。
【００７３】
ステップＳ２０９において、制御部４５は、数字入力領域２１ｂに入力されている数字を確定して、数字入力領域２１ｂに数字を入力させるための数字カーソルの位置を移動する。
ステップＳ２１０において、制御部４５は、文字パレット２１ｃ上のカーソルの位置を右に移動する。なお、ステップＳ２０９及びステップＳ２１０の処理は同時に行ってもよいし、別々に行ってもよい。
【００７４】
ステップＳ２１１において、制御部４５は、数字入力領域２１ｂに入力された数字の有無を判断する。数字入力領域２１ｂに数字が入力されている場合（Ｙｅｓ）には、ステップＳ２１２に進む。数字入力領域２１ｂに数字が入力されていない場合（Ｎｏ）には、ステップＳ２１５に進む。
【００７５】
ステップＳ２１２において、制御部４５は、数字入力領域２１ｂに数字を入力させるための数字カーソルの位置を移動する処理を行う。すなわち、制御部４５は、数字入力領域２１ｂに入力され、確定された数字を一字分左に移動させて、新たな数字を入力可能にする（図６（Ｆ）参照）。
【００７６】
ステップＳ２１３において、制御部４５は、文字パレット２１ｃに表示されるカーソルの位置を上方向及び下方向のいずれかに移動させる。
ステップＳ２１４において、制御部４５は、ステップＳ２０６において上キー１１１の操作を検知した場合には、数字のカウントをアップさせ、下キー１１２の操作を検知した場合には、数字のカウントをダウンさせる。なお、ステップＳ２１３及びステップＳ２１４の処理は同時に行ってもよいし、別々に行ってもよい。
【００７７】
ステップＳ２１５において、制御部４５は、方向指定キー１１ａを構成する確定キー１１５が操作されたか否かを検出する。確定キー１１５は、例えば、文字や数字の確定処理を行うためのキー（センターキー）である。確定キー１１５が操作されていない場合（Ｎｏ）には、ステップＳ２０６に戻る。確定キー１１５が操作された場合（Ｙｅｓ）には、ステップＳ２１６に進む。
【００７８】
ステップＳ２１６において、制御部４５は、表示部２１に表示される数字入力領域２１ｂを消去する処理を行う。すなわち、制御部４５は、表示部２１の全面に文字入力領域２１ａを表示させる。
【００７９】
ステップＳ２１７において、制御部４５は、文字入力領域２１ａに表示される文字を他の文字に変換するための変換候補領域を表示部２１に表示させる。例えば、制御部４５は、文字入力領域２１ａに「よこはま」が入力されている場合には、「横浜」、「横浜市」及び「横浜駅」等の変換候補となる文字等が入力された変換候補領域を表示部２１に表示させる。なお、ステップＳ２１６及びステップＳ２１７の処理は同時に行ってもよいし、別々に行ってもよい。
【００８０】
ステップＳ２１８において、制御部４５は、変換候補領域に表示される複数の変換候補の中からいずれかの変換候補が選択され、確定されたことを検知する。上述の例の場合において、変換候補領域に入力された「横浜」が選択され、その選択が確定された場合には、制御部４５は、文字入力領域２１ａに入力されている「よこはま」を「横浜」に変換する。
【００８１】
ステップＳ２１９において、制御部４５は、文字入力終了処理を行うか否かを判断する。すなわち、制御部４５は、ユーザの操作に基づいて文字入力を終了させる処理が選択されたか否かを判断する。文字入力を終了させる処理が選択されていない場合（Ｎｏ）には、ステップＳ２０６に戻る。文字入力を終了させる処理が選択されている場合（Ｙｅｓ）には、処理を終了する。
【００８２】
次に、上述した携帯電話機１の第３の動作について説明する。図８は、携帯電話機１の第３の動作について説明するためのフローチャートである。
【００８３】
ステップＳ３０１において、文字及び数字を入力させるエディタが起動されている状態で、方向指定キー１１ａが操作された場合に、制御部４５は、方向指定キー１１ａが操作されたことを検知する。
ステップＳ３０２において、制御部４５は、操作されたキー（ステップＳ３０１により検知されたキー）に対応する文字を文字入力領域２１ａに入力して表示させる。
ステップＳ３０３において、制御部４５は、操作されたキー（ステップＳ３０１により検知されたキー）に対応する数字を数字入力領域２１ｂに入力して表示させる。なお、ステップＳ３０２及びステップＳ３０３の処理は同時に行ってもよいし、別々に行ってもよい。
【００８４】
ステップＳ３０４において、制御部４５は、数字入力領域２１ｂに入力された数字が３桁であるか否かを判断する。数字が３桁ではない場合（Ｎｏ）には、ステップＳ３０５に進む。数字が３桁の場合には（Ｙｅｓ）には、ステップＳ３０８に進む。
【００８５】
ステップＳ３０５において、制御部４５は、数字入力領域２１ｂに入力された数字が電話発信可能な桁数（例えば、１０桁、０から始まる１１桁、又は接頭番号を付した１４桁）であるか否かを判断する。電話発信可能な桁数ではない場合（Ｎｏ）には、ステップＳ３０６に進む。電話発信可能な桁数の場合（Ｙｅｓ）には、ステップＳ３０９に進む。
【００８６】
ステップＳ３０６において、制御部４５は、数字入力領域２１ｂに入力された数字の桁数が電話発信を可能な桁数（１４桁）を超えているか否かを判断する。発信可能桁数を超えている場合（Ｎｏ）には、ステップＳ３０１に戻る。発信可能桁数を超えていない場合（Ｙｅｓ）には、ステップＳ３０７に進む。
【００８７】
ステップＳ３０７において、制御部４５は、表示部２１から数字入力領域２１ｂを消去する。すなわち、制御部４５は、表示部２１に文字入力領域２１ａのみを表示させる。ステップＳ３０７の処理の後は、文字入力処理へ移行する。
【００８８】
ステップＳ３０８において、制御部４５は、数字入力領域２１ｂに入力された数字が、「１１０番」や「１１８番」や「１１９番」等の緊急発呼番号であるか否かを判断する。緊急発呼番号ではない場合（Ｎｏ）には、ステップＳ３０５に進む。緊急発呼番号である場合（Ｙｅｓ）には、ステップＳ３０９に進む。
【００８９】
ステップＳ３０９において、制御部４５は、「発信」機能が割り当てられたソフトキーを表示部２１に表示させる。ここで、ソフトキーは、表示部２１に表示されたキー画像と、操作部を構成するいずれかのキーとを対応させたものである。キー画像に対応されたキーが操作されることにより、キーに割り当てられた機能は実行される。
【００９０】
ステップＳ３１０において、制御部４５は、ステップＳ３０９により表示された「発信」ソフトキーが操作された場合、「発信」操作を検知する。
ステップＳ３１１において、制御部４５は、表示部２１に表示される文字入力領域２１ａを消去させる。すなわち、制御部４５は、表示部２１の全面に数字入力領域２１ｂを表示させる。
ステップＳ３１１の処理の後は、発信処理へ移行する。
【００９１】
次に、上述した携帯電話機１の第４の動作について説明する。第４の動作は、方向指定キー１１ａが操作された場合に、表示部２１に、文字入力領域２１ａの表示と、所定の機能に関する表示とを行う動作であり、上述した第１の動作（方向指定キー１１ａが操作された場合に、表示部２１に、文字入力領域２１ａと数字入力領域２１ｂと表示する動作）に類似する。このため、画面遷移について説明する図（図９、図１０）のみを参照して、携帯電話機１の第４の動作について説明する。
【００９２】
まず、第４の動作の第１実施例について説明する。図９は、携帯電話機１の第４の動作の画面遷移について説明するための第１の図である。
初期画面が表示された状態において（図９（Ａ）参照）、方向操作キーのいずれかのキー（ここでは、右キー１１３）が操作された場合、制御部４５は、表示部２１に、文字パレット２１ｃを含む文字入力領域２１ａを表示させると共に、所定の機能（ここでは、発信履歴機能）に関する表示を行う（図９（Ｂ）参照）。
【００９３】
次に、下キー１１２の操作が複数回（ここでは、４回）行われた場合、制御部４５は、文字パレット２１ｃ上のカーソルを下方向へ移動させると共に、文字入力領域２１ａに表示される文字「わ」を他の文字「を」に変更する。また、制御部４５は、発信履歴を変更する（下方向にスクロールする：図９（Ｃ）参照）。
【００９４】
次に、下キー１１２の操作が複数回（ここでは、４回）行われた場合、制御部４５は、文字パレット２１ｃ上のカーソルを同じ行の最上段に移動させた後、再度、カーソルを下方向へ移動させる。また、制御部４５は、文字入力領域２１ａに表示される文字「を」を他の文字「ゑ」に変更する。さらに、制御部４５は、発信履歴を変更する（下方向にスクロールする）。ここで、制御部４５は、文字パレット２１ｃの同一の行をカーソルが連続して移動して、確定操作が行われないため（すなわち、方向指定キー１１ａのうちの同一のキーが所定の回数以上連続して操作された場合に）、文字入力領域２１ａに文字を入力するための操作が行われているのではないと判断して、表示部２１に通知ピクト２１ｅを表示する（図９（Ｄ）参照）。なお、通知ピクト２１ｅは、図９（Ｄ）に示す形状に限定されることはない。
【００９５】
次に、通知ピクト２１ｅが表示された状態で、さらに、下キー１１２が操作された場合（文字入力が行われる可能性が少ない操作が行われた場合）には、制御部４５は、文字入力領域２１ａを表示部２１から消去して、表示部２１の全面に発信履歴を表示する（図９（Ｅ）参照）。
【００９６】
まず、第４の動作の第２実施例について説明する。図１０は、携帯電話機１の第４の動作の画面遷移について説明するための第２の図である。初期画面が表示された状態において（図１０（Ａ）参照）、方向指定キー１１ａのいずれかのキー（ここでは、右キー１１３）が操作された場合、制御部４５は、表示部２１に、文字パレット２１ｃを含む文字入力領域２１ａを表示させると共に、所定の機能（ここでは、発信履歴機能）に関する表示を行う（図１０（Ｂ）参照）。
【００９７】
次に、下キー１１２が操作された場合、制御部４５は、文字入力領域２１ａに入力される文字「わ」を他の文字「ゐ」に変更すると共に、文字パレット２１ｃ上のカーソルを下方に移動させる。さらに、制御部４５は、発信履歴を変更する（下方にスクロールする：図１０（Ｃ）参照）。
次に、発信キー（図示せず）が操作された場合、制御部４５は、図１０（Ｃ）に示す状態のときに表示部２１に表示される発信履歴を表示部２１の全体に表示させる（図１０（Ｄ）参照）。
【００９８】
また、図１０（Ｂ）に示す状態において、右キー１１３が操作された場合、文字パレット２１ｃ上のカーソルを右に移動させると共に、文字入力領域２１ａに表示される文字「わ」を他の文字「ら」に変更する。ここで、制御部４５は、表示部２１に表示される発信履歴の変更は、上キー１１１又は下キー１１２のみにより変更されるため、右キー１１３の操作は発信履歴を変更するための操作ではないと判断して、表示部２１に通知ピクト２１ｅを表示する（図１０（Ｅ）参照）。なお、通知ピクト２１ｅは、図１０（Ｅ）に示す形状に限定されることはない。
【００９９】
次に、通知ピクト２１ｅが表示された状態で、さらに、右キー１１３が操作された場合（変更履歴の変更が行われない場合）には、制御部４５は、発信履歴を表示部２１から消去して、表示部２１の全面に文字入力領域２１ａを表示する（図１０（Ｆ）参照）。
【０１００】
次に、上述した携帯電話機１の第５の動作について説明する。図１１は、携帯電話機１の第５の動作について説明するためのフローチャートである。図１２は、携帯電話機１の第５の動作の画面遷移について説明するための図である。
【０１０１】
ステップＳ４０１において、初期画面が表示される状態で（図１２（Ａ）参照）、方向指定キー１１ａが操作された場合に（ここでは、右キー１１３）、制御部４５は、方向指定キー１１ａが操作されたことを検知する。
【０１０２】
ステップＳ４０２において、制御部４５は、操作された右キー１１３に対応する機能（ここでは、発信履歴）を起動させる処理を行う。
ステップＳ４０３において、制御部４５は、文字及び数字を入力させるエディタを起動させる処理を行う。なお、ステップＳ４０２及びステップＳ４０３の処理は同時に行ってもよいし、別々に行ってもよい。
【０１０３】
ステップＳ４０４において、制御部４５は、発信履歴と共に、操作された右キー１１３に割り当てられる文字「わ」と数字「０」とを表示部２１に表示させるための画像データを生成する処理を行う。
ステップＳ４０５において、制御部４５は、ステップＳ４０４により生成された画像データに基づいて表示部２１に表示を行うよう表示更新処理を行う（図１２（Ｂ）参照）。さらに、制御部４５は、「変換」、「選択」及び「発信」のソフトキーを表示部２１に表示させる処理を行う。
【０１０４】
ステップＳ４０６において、制御部４５は、さらに方向指定キー１１ａが操作されたことを検出したか否かを判断する。方向指定キー１１ａの操作が検出された場合（Ｙｅｓ）には、方向指定キー１１ａの操作に対応した処理が行われる。方向指定キー１１ａの操作が検出されない場合（Ｎｏ）には、ステップＳ４０７に進む。
【０１０５】
ステップＳ４０７において、制御部４５は、ソフトキーが操作されたか否かを検知する。
ステップＳ４０８において、制御部４５は、ステップＳ４０７により操作が検知されたソフトキーが「変換」であるか否かを判断する。「変換」の操作が検出された場合（Ｙｅｓ）には、ステップＳ４０９に進む。「変換」の操作が検出されない場合（Ｎｏ）には、ステップＳ４１２に進む。
【０１０６】
ステップＳ４０９において、制御部４５は、表示部２１に表示される文字「わ」を他の文字等に変換するための変換候補データを記憶部から読み込む。
ステップＳ４１０において、制御部４５は、表示部２１に表示される文字入力領域２１ａの表示データを生成する。
ステップＳ４１１において、制御部４５は、ステップＳ４０９において読み込まれた変換候補データと、ステップＳ４１０において生成された文字入力領域２１ａの表示データとに基づいて、表示部２１の表示を更新する処理を行う（図１２（Ｃ）参照）。
【０１０７】
ステップＳ４１２において、制御部４５は、ステップＳ４０７により操作が検知されたソフトキーが「発信」であるか否か判断する。
ステップＳ４１３において、制御部４５は、ステップＳ４０５により表示部２１に表示された数字が電話番号として発信可能であるか否かを判断する。電話番号として発信可能な場合（Ｙｅｓ）には、発信処理へ移行する。電話番号として発信可能ではない場合（Ｎｏ）には、ステップＳ４１４へ進む。
【０１０８】
ステップＳ４１４において、制御部４５は、表示部２１に表示される数字入力領域２１ｂの表示データを生成する。
ステップＳ４１５において、制御部４５は、ステップＳ４１４において生成された表示データに基づいて、表示部２１の表示を更新する処理を行う（図１２（Ｄ）参照）。
ステップＳ４１５の処理の後は、数字入力処理へ移行する。
【０１０９】
ステップＳ４１６において、制御部４５は、ステップＳ４０７により操作が検知されたソフトキーが「選択」であると判断する。
ステップＳ４１６の処理の後は、所定の機能を操作する処理へ移行する。
【０１１０】
なお、本発明は、上述した実施形態に限定されることはなく、種々の形態で実施することができる。
上述した実施形態では、携帯電話機１が１つの方向指定キー１１ａから構成される場合（上キー１１１、右キー１１３、下キー１１２及び左キー１１４が結合した場合）について説明したが、本発明はこの形態に限定されることはない。したがって、方向指定キーは、複数のキーから構成されていてもよい。すなわち、上キー、右キー、下キー及び左キーは、互いに独立したキーであってもよい。
【０１１１】
また、上述した実施形態では、方向指定キー１１ａがハードキーから構成される場合について説明したが、本発明はこの形態に限定されることはない。すなわち、表示部がタッチセンサを備えたタッチパネルの場合には、方向指定キーは、タッチパネルに表示されていてもよい。
【０１１２】
また、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やナビゲーションデバイスやリモートコントローラ等の電子機器にも適用することができる。
【符号の説明】
【０１１３】
１  携帯電話機（電子機器）
１１  操作部
１１ａ  方向指定キー
２１  表示部
４５  制御部
【図１】
0005503998.tif 000002
【図２】
0005503998.tif 000003
【図３】
0005503998.tif 000004
【図４】
0005503998.tif 000005
【図５】
0005503998.tif 000006
【図６】
0005503998.tif 000007
【図７】
0005503998.tif 000008
【図８】
0005503998.tif 000009
【図９】
0005503998.tif 000010
【図１０】
0005503998.tif 000011
【図１１】
0005503998.tif 000012
【図１２】
0005503998.tif 000013